(57)【要約】      （修正有）【課題】取手部を切り離すと内側に２個の収納ポケットを備えたクリアファイルとなり、書類を分類して収納できることに加え、見開くことにより取り出すことなく内容物の確認が容易な手提げバッグ型のクリアファイルを提供する。【解決手段】型抜きされた１枚のプラスチックフィルムに形成された２つの折り筋を折り曲げ、重なり合う２つの外側側辺を溶着加工により接合し、２辺が開口したポケット７、８を形成する。さらに折り筋９を折り曲げることにより表表紙と裏表紙を備えたクリアファイルが形成される。表表紙と裏表紙の上部には手提げ用の孔１４、１５が重なり合う位置に形成され、その孔に指を通し手提げバッグとして使用する際に、表表紙及び裏表紙が不意に開くのを防止するためのストッパー１６を外側側辺に備える。【選択図】図２
0003221402.tif 000002
【実用新案登録請求の範囲】
【請求項１】
型抜きされたプラスチックフィルムに形成されたポケットとなる２つの片を、第１の折曲線および第２の折曲線に沿ってそれぞれ折り曲げ、隣接する辺が溶着加工により接合され、上辺と中心側の側辺が開口した収納ポケットが左右対称に形成されており、さらに第３の折曲線に沿って折り曲げることにより表表紙と裏表紙が形成され、その上部には指を通すための孔が重なり合う位置に形成され、書類を収納し持ち運べることを特長とする手提げバッグ型クリアファイル。
【請求項２】
表表紙から裏表紙に連続して形成されたミシン線から取っ手部分を切り離すことにより、収納ポケットを2個備えたクリアファイルが形成される請求項１の手提げバッグ型クリアファイル。
【請求項３】
見開いた状態で右側ポケットの外側側辺から中央に向かって切り込みによってストッパーが形成され、その根元は切り込まれずプラスチックフィルムに連続しており、そのストッパーの先端側には差込片が切り込みにより形成され、もう一方の見開き左側の外側側辺には、前記ストッパーの固定を容易にするための切欠部がミシン線によって形成され、その切欠部を切り取り、ストッパーで表表紙を挟み、さらにストッパーの先端側の差込片を表表紙に形成された切り込みに差し込んで固定することを特長とする請求項1の手提げバッグ型クリアファイル。
【考案の詳細な説明】
【技術分野】
【０００１】
本考案は手提げバッグとして使用できるクリアファイルに関する。
【背景技術】
【０００２】
主にプラスチックフィルムを使用して製造されるクリアファイルにおいて、上部に手提げ用の孔があいた手提げバッグ型のクリアファイルは従来からあるが、それらの多くは上辺を除く３辺が閉じられており、その開口部から書類を入れる構造である。手提げバッグとして使い終えたら、手提げ用の孔を含む切取部を切り取ることにより、プラスチックフィルムを2つ折りに形成し表表紙と裏表紙を備え、重なり合う下方の一辺を溶着加工して形成されたクリアファイルとして使用できることが特長である。
【考案の概要】
【考案が解決しようとする課題】
【０００３】
しかしながら、上記手提げバッグ型のクリアファイルは3辺を閉じただけの一つの空間しか持たない袋構造であるため、収納する書類の分類が困難であり、さらに中身を見る場合には、一度取り出して見る必要があるなど不便である。また、バッグ型クリアファイル本体より書類が大きい場合には、事前に収納可能なサイズに折り畳むなどの対応が必要である。
【課題を解決するための手段】
【０００４】
課題を解決するために本考案では、見開きの状態にて最大サイズの書類を収納できるポケットを左右対称に2個備えたクリアファイルを用いる。それは次のように構成する。型抜きされた1枚のプラスチックフィルムに３つの折り筋を形成し、第1の折り筋及び第２の折り筋を折り、重なり合う辺を溶着加工により接合し2辺が開口したポケットを形成する。第3の折り筋を折ることにより表表紙と裏表紙を備えるクリアファイルが形成される。表表紙と裏表紙の上部には手提げ用の孔が重なり合う位置に形成されており、二つ折りにした状態で指を通し、手提げバッグとして持つことができる。また、手提げバッグとして使用する際に、表表紙及び裏表紙が不意に開くのを防止するためのストッパーを備える。
【考案の効果】
【０００５】
前述の通りポケットを２つ備えることにより書類を分類して収納できることに加え、見開いた状態で中身を取り出すことなく左右のポケットに入れた書類の確認ができるほか、見開いた状態で最大サイズの書類を収納可能な手提げバッグとして使用できるクリアファイルの提供ができる。
【図面の簡単な説明】
【０００６】
【図１】型抜きされたプラスチックフィルム
【図２】本考案の見開いた状態を示す図
【図３】収納できる最大サイズの書類を入れた状態を示す図
【図４】本考案のストッパーの使用状態を示す図
【図５】本考案を二つ折りにした状態を示す図
【図６】本考案を手提げバッグとして使用する状態を示す図
【図７】本考案の手提げ部分を切り取った状態を示す図
【考案を実施するための形態】
【０００７】
以下、本考案の形態を図に基づいて説明する。
【実施例】
【０００８】
図1は型抜きされた1枚のプラスチックフィルムであって、このプラスチックフィルムの折曲線1を谷折りにし、折曲線2も同様に谷折りにして、それぞれの折曲線を支点に折り曲げられた辺3及び辺4を溶着加工にて接合することによりポケット7及び8が形成される。折曲線1と折曲線2を折り曲げ形成された辺5と辺6は底辺となる。その辺5及び辺6と並行してミシン線12が形成されており、そのミシン線12と辺13との間に手提げ用の孔14及び孔15が、上部が連続し完全には切り離されない状態で切り込みによって形成され、上辺を起点に折り曲げて開口することで図６の示す通り手提げバッグとして使用できる。図4及び図5の示す通り折曲線9を折り曲げることにより表表紙10と裏表紙11が形成され、内側にポケットが二つ左右対称に形成された手提げ機能を備えたクリアファイルが形成される。さらに、図3の示す通り、二つ折りにした状態の約2倍のサイズの書類２０を事前に折ることなく収納することが可能である。さらに表表紙10と裏表紙11が不意に開くのを防止するため、ポケット8にストッパー16が形成されており、もう一方のポケット7に形成された切欠片1９を切り取り、図６の示す通りストッパー16で表表紙10を挟み、さらに表表紙10に形成された切り込み17にストッパー16に形成された差込片18を差し込み固定する。手提げバッグとして使用した後は、ミシン線12から取手部２１を切り離すことにより、内側に左右対称の2個のポケットを備えたクリアファイルが形成される。
【符号の説明】
【０００９】
1  折り筋
2  折り筋
3  側辺
4  側辺
5  底辺
6  底辺
7  ポケット
8  ポケット
9  折り筋
10  表表紙
11  裏表紙
12  ミシン線
13  上辺
14  孔
15  孔
16  ストッパー
17  切り込み
18  差込片
19  切欠片
20  書類
21  取手部
【図１】
0003221402.tif 000003
【図２】
0003221402.tif 000004
【図３】
0003221402.tif 000005
【図４】
0003221402.tif 000006
【図５】
0003221402.tif 000007
【図６】
0003221402.tif 000008
【図７】
0003221402.tif 000009